(57)【要約】【課題】接続端子やランスを損傷させることなく、ハウジングから接続端子を容易に取り外すことが可能なコネクタを提供すること。【解決手段】端子収容室２０を有するハウジング１１と、ハウジング１１の後端側から端子収容室２０に挿入されて収容されるメス端子３０と、ハウジング１１に設けられ、端子収容室２０へ収容されたメス端子３０を係止してハウジング１１の後端側への移動を規制するランス２２と、を備えたコネクタ１０であって、ランス２２は、ハウジング１１に形成されてハウジング１１の先端面１１ａで開口する収容空間Ｓに収容され、ランス２２には、ハウジング１１の先端側へ向かって延びる操作片２５が形成され、操作片２５は、端子収容室２０におけるメス端子３０の挿入方向前方側の内壁面２０ａよりもハウジング１１の先端側へ延在されている。【選択図】図３
2020035542.tif 000002
【特許請求の範囲】
【請求項１】
端子収容室を有するハウジングと、
前記ハウジングの後端側から前記端子収容室に挿入されて収容される接続端子と、
前記ハウジングに設けられ、前記端子収容室へ収容された前記接続端子を係止して前記ハウジングの後端側への移動を規制するランスと、
を備えたコネクタであって、
前記ランスは、前記ハウジングに形成されて前記ハウジングの先端面で開口する収容空間に収容され、
前記ランスには、前記ハウジングの先端側へ向かって延びる操作片が形成され、
前記操作片は、前記端子収容室における前記接続端子の挿入方向前方側の内壁面よりも前記ハウジングの先端側へ延在されている
ことを特徴とするコネクタ。
【請求項２】
前記ハウジングの先端部には、前記収容空間における前記操作片の前記端子収容室側に操作凹部が設けられている
ことを特徴とする請求項１に記載のコネクタ。
【請求項３】
前記操作片は、その先端部における前記端子収容室側に、先端へ向かって次第に前記端子収容室から離れる方向へ傾斜するテーパ面を有する
ことを特徴とする請求項１または請求項２に記載のコネクタ。
【発明の詳細な説明】
【技術分野】
【０００１】
本発明は、コネクタに関する。
【背景技術】
【０００２】
図１０に示すように、ハウジング１の端子収容室２に接続端子３を収容させたコネクタ４では、端子収容室２に対してハウジング１の後端側から挿入されて収容される接続端子３の電気接続部３ａの後端をランス５によって係止し、接続端子３をハウジング１から抜け止めしている（例えば、特許文献１参照）。
【０００３】
ところで、端子収容室２に挿し込んで収容させた接続端子３に、電気接続部３ａの不良があったり、電線６に対する圧着不足などの不具合がある場合、接続端子３をハウジング１から取り外し、新たな接続端子３に交換する必要がある。この場合、ハウジング１の先端面に形成された挿入孔７から抜き治具８の挿入部８ａを挿し込み、ランス５を押し下げて接続端子３の係止状態を解除し、接続端子３を端子収容室２から抜き取ることとなる。
【先行技術文献】
【特許文献】
【０００４】
【特許文献１】特開２００１−１６７８３２号公報
【発明の概要】
【発明が解決しようとする課題】
【０００５】
ところで、上記のコネクタ４において、接続端子３の筒状に形成された電気接続部３ａの後端を係止するランス５を押し下げて接続端子３の係止を解除するには、抜き治具８の挿入部８ａをハウジング１の奥まで挿し込まなければならない。このため、接続端子３の取り外し作業が煩雑であるとともに、抜き治具８の挿入部８ａによってランス５を損傷させてしまうおそれがある。
【０００６】
また、ハウジング１の奥に設けられたランス５を視認することが困難であるため、抜き治具８の挿入部８ａを誤って接続端子３の前方に形成された相手側の接続端子との接続のための開口部１ａへ挿し込んで接続端子３を損傷させてしまうおそれがある。
【０００７】
本発明は、上述した事情に鑑みてなされたものであり、その目的は、接続端子やランスを損傷させることなく、ハウジングから接続端子を容易に取り外すことが可能なコネクタを提供することにある。
【課題を解決するための手段】
【０００８】
前述した目的を達成するために、本発明に係るコネクタは、下記（１）〜（３）を特徴としている。
（１）  端子収容室を有するハウジングと、
前記ハウジングの後端側から前記端子収容室に挿入されて収容される接続端子と、
前記ハウジングに設けられ、前記端子収容室へ収容された前記接続端子を係止して前記ハウジングの後端側への移動を規制するランスと、
を備えたコネクタであって、
前記ランスは、前記ハウジングに形成されて前記ハウジングの先端面で開口する収容空間に収容され、
前記ランスには、前記ハウジングの先端側へ向かって延びる操作片が形成され、
前記操作片は、前記端子収容室における前記接続端子の挿入方向前方側の内壁面よりも前記ハウジングの先端側へ延在されている
ことを特徴とするコネクタ。
（２）  前記ハウジングの先端部には、前記収容空間における前記操作片の前記端子収容室側に操作凹部が設けられている
ことを特徴とする（１）に記載のコネクタ。
（３）  前記操作片は、その先端部における前記端子収容室側に、先端へ向かって次第に前記端子収容室から離れる方向へ傾斜するテーパ面を有する
ことを特徴とする（１）または（２）に記載のコネクタ。
【０００９】
上記（１）の構成のコネクタによれば、端子収容室に収容された接続端子を係止してハウジングの後端側への移動を規制するランスに、ハウジングの先端側へ向かって延びる操作片が形成されている。そして、この操作片が端子収容室における接続端子の挿入方向前方側の内壁面よりもハウジングの先端側へ延在されている。したがって、ハウジングから接続端子を取り外す際に、作業者は、ハウジングの先端側からランスの操作片を容易に視認し、操作片を接続端子から離れる方向へ変位させてランスによる接続端子の係止状態を解除させることができる。これにより、例えば、治具によって操作片を変位させてランスによる接続端子の係止状態を解除させる際に、誤って端子収容室へ治具を挿し込んで接続端子を損傷させたり、ランスの操作片以外の部分に治具を接触させて損傷させるような不具合をなくすことができる。つまり、接続端子やランスを損傷させることなく、ハウジングから接続端子を容易に取り外すことができる。
上記（２）の構成のコネクタによれば、ハウジングの先端部に設けられた操作凹部に治具を挿し込んで操作片を接続端子から離れる方向へ押圧して接続端子に対するランスの係止状態を容易に解除させることができる。
上記（３）の構成のコネクタによれば、操作片のテーパ面に治具をあてがい、操作片を端子収容室から離れる方向へ容易に押圧して接続端子に対するランスの係止状態を解除させることができる。
【発明の効果】
【００１０】
本発明によれば、接続端子やランスを損傷させることなく、ハウジングから接続端子を容易に取り外すことが可能なコネクタを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態に係るコネクタの斜視図である。
【図２】図２は、本実施形態に係るコネクタの正面図である。
【図３】図３は、本実施形態に係るコネクタの前後方向に沿う縦断面図である。
【図４】図４は、ハウジングの先端部分における縦断面図である。
【図５】図５は、ハウジングの先端部分の一部の斜視図である。
【図６】図６は、コネクタの端子収容室に収容されるメス端子を示す図であって、図６（ａ）は上面側から視た斜視図、図６（ｂ）は下面側から視た斜視図である。
【図７】図７は、メス端子を取り外す抜き治具を示す図であって、図７（ａ）は抜き治具の斜視図、図７（ｂ）は抜き治具の係合部の斜視図である。
【図８】図８は、メス端子の取り外し方を説明する図であって、図８（ａ）及び図８（ｂ）は、それぞれハウジングの先端部分における縦断面図である。
【図９】図９は、他の形状のランスを有するハウジングの先端部分における縦断面図である。
【図１０】図１０は、従来技術を説明するハウジングの縦断面図である。
【発明を実施するための形態】
【００１３】
以下、本発明に係る実施の形態の例を、図面を参照して説明する。
図１は、本実施形態に係るコネクタの斜視図である。図２は、本実施形態に係るコネクタの正面図である。図３は、本実施形態に係るコネクタの前後方向に沿う縦断面図である。
【００１４】
図１〜図３に示すように、本実施形態に係るコネクタ１０は、合成樹脂製のハウジング１１を備えている。ハウジング１１は、その先端側が接続部１２とされ、後端側が電線導出部１３とされている。コネクタ１０は、相手側コネクタ（図示略）に接合される。具体的には、コネクタ１０は、ハウジング１１の接続部１２を相手側コネクタのハウジングに形成された嵌合部（図示略）に嵌合させることで相手側コネクタに接合される。ハウジング１１には、その上部に、ロック部１４が設けられており、嵌合させた相手側コネクタをロック部１４が係止することで相手側コネクタのハウジングとの嵌合状態が維持される。
【００１５】
ハウジング１１には、複数の端子収容室２０が形成されている。本例では、三つの端子収容室２０が形成されており、これらの端子収容室２０は、ハウジング１１の幅方向に配列されている。端子収容室２０は、相手側コネクタとの接合方向に沿って形成されている。ハウジング１１の先端には、開口部２１が形成されており、これらの開口部２１が各端子収容室２０と連通されている。これらの端子収容室２０には、メス端子（接続端子）３０が収容されている。メス端子３０は、端子収容室２０に対して、接合方向後方側である後端側から挿し込まれて収容される。メス端子３０には、電線３１が接続されており、電線３１は、ハウジング１１の後端の電線導出部１３から引き出されている。
【００１６】
ハウジング１１には、ランス２２が設けられている。ランス２２は、各端子収容室２０の先端側における下方側に設けられている。ランス２２は、後端側が連設された片持ち支持構造とされている。ハウジング１１には、端子収容室２０の先端側における下方に、収容空間Ｓが形成されており、ランス２２は、収容空間Ｓ内に配置されている。ランス２２は、後端側の連設端２２ａを支点として下方側へ弾性変形して揺動可能とされている。このランス２２には、その中間部に、上方側へ突出する突起部２３が形成されている。この突起部２３は、端子収容室２０内へ突出されている。突起部２３は、ハウジング１１の先端側が、ハウジング１１の前後方向に直交する垂直面からなる係止部２４とされている。
【００１７】
図４は、ハウジングの先端部分における縦断面図である。図５は、ハウジングの先端部分の一部の斜視図である。
【００１８】
図４及び図５に示すように、ランス２２は、係止部２４よりもハウジング１１の先端側に操作片２５を有している。操作片２５は、ハウジング１１の先端側へ延びる長尺の板状に形成されている。操作片２５の先端部２５ａは、端子収容室２０におけるメス端子３０の挿入方向前方側の内壁面２０ａよりもハウジング１１の先端側へ延在されている。この内壁面２０ａには、メス端子３０の先端部３０ａが当接される。メス端子３０は、その先端部３０ａが内壁面２０ａに当接されることで、端子収容室２０への挿入方向前方側の移動が規制される。端子収容室２０の内壁面２０ａよりもハウジング１１の先端側へ延在されている操作片２５の先端部２５ａは、ハウジング１１の先端面１１ａと略面一に配置されている。また、操作片２５の先端部分には、メス端子３０が収容される端子収容室２０側にテーパ面２６が形成されている。テーパ面２６は、ハウジング１１の先端側へ向かって次第に端子収容室２０側から離れる方向へ傾斜されている。また、ハウジング１１の先端側において、ランス２２の操作片２５の端子収容室２０側には、操作凹部２７が設けられている。
【００１９】
図６は、コネクタの端子収容室に収容されるメス端子を示す図であって、図６（ａ）は上面側から視た斜視図、図６（ｂ）は下面側から視た斜視図である。
図６（ａ）及び図６（ｂ）に示すように、端子収容室２０に収容されるメス端子３０は、電線接続部４１と、電気接続部４２とを有している。メス端子３０は、例えば、銅または銅合金等の導電性金属材料から形成されている。
【００２０】
メス端子３０の電線接続部４１は、導体圧着部３７と、被覆圧着部３９とを有している。導体圧着部３７は、一対の導体圧着片３７ａを有しており、被覆圧着部３９は、一対の被覆圧着片３９ａを有している。電線３１は、導体３２と、導体３２の外周を覆う被覆３３とを有しており、メス端子３０との接続端では、導体３２が被覆３３から露出されている。電線接続部４１では、導体圧着片３７ａを電線３１の導体３２に加締めることで電線３１の導体３２が導体圧着部３７に圧着固定され、被覆圧着片３９ａを電線３１の被覆３３の部分に加締めることで電線３１の被覆３３の部分が被覆圧着部３９に圧着固定されている。これにより、メス端子３０に電線３１が接続され、メス端子３０と電線３１の導体３２とが導通される。
【００２１】
メス端子３０の電気接続部４２は、先端側が開口した角筒形状に形成されている。電気接続部４２は、底板部４３と、上板部４４と、これらの底板部４３及び上板部４４の両側縁を繋ぐ側板部４５とを有している。電気接続部４２には、底板部４３の先端側を後端側へ折り返すことで形成されたバネ接点４６と、上板部４４を内側へ突出させることで形成された摺動接点４７とを有している。電気接続部４２には、底板部４３に角孔４８が形成されており、この角孔４８におけるメス端子３０の先端側の縁部は、被係止部４９とされている。
【００２２】
このメス端子３０は、ハウジング１１の端子収容室２０に対して、その後端側から挿し込まれることで収容される。メス端子３０を端子収容室２０へ挿し込むと、メス端子３０の電気接続部４２がランス２２の突起部２３に当接する。これにより、ランス２２の突起部２３が端子収容室２０の外側へ押し出され、ランス２２が後端の連設端２２ａを支点として弾性変形して揺動する。
【００２３】
端子収容室２０へメス端子３０をさらに挿し込むことで、ランス２２の突起部２３の位置にメス端子３０の角孔４８が移動すると、弾性変形していたランス２２が復元し、突起部２３が角孔４８内に入り込む。すると、メス端子３０の角孔４８の被係止部４９がランス２２の突起部２３の係止部２４によって係止される。これにより、メス端子３０は、ハウジング１１の後端側への移動が規制されて抜け止めされ、端子収容室２０に収容された状態に維持される。なお、メス端子３０は、その先端部３０ａが内壁面２０ａに当接することで、端子収容室２０への挿入方向前方側の移動が規制される。
【００２４】
ところで、端子収容室２０に挿し込んで収容させたメス端子３０に、電気接続部４２の不良があったり、電線３１に対する圧着不足などの不具合がある場合には、メス端子３０をハウジング１１から取り外し、新たなメス端子３０に交換する必要がある。
【００２５】
次に、ハウジング１１の端子収容室２０に収容させたメス端子３０を取り出す場合について説明する。
【００２６】
図７は、メス端子を取り外す抜き治具を示す図であって、図７（ａ）は抜き治具の斜視図、図７（ｂ）は抜き治具の係合部の斜視図である。図８は、メス端子の取り外し方を説明する図であって、図８（ａ）及び図８（ｂ）は、それぞれハウジングの先端部分における縦断面図である。
【００２７】
図７（ａ）に示すように、端子収容室２０からメス端子３０を取り外す際には、抜き治具６０を用いる。この抜き治具６０は、作業者によって把持される板状の把持部６１と、把持部６１から延びる棒状の係合部６２とを有している。図７（ｂ）に示すように、係合部６２は、その先端に傾斜面からなる押圧面６３を有している。押圧面６３は、先端へ向かって次第に上方へ傾斜されている。
【００２８】
この抜き治具６０を用いてハウジング１１の端子収容室２０に収容させたメス端子３０を取り出すには、作業者は、把持部６１を把持した抜き治具６０の係合部６２をコネクタ１０のハウジング１１の先端側から近付ける。
【００２９】
そして、図８（ａ）に示すように、抜き治具６０の係合部６２を、ランス２２の操作片２５のメス端子３０側に形成された操作凹部２７へ挿し込み、押圧面６３をランス２２の操作片２５におけるテーパ面２６に当接させる。このとき、ランス２２には、ハウジング１１の先端側へ延びる操作片２５が設けられ、この操作片２５の先端部２５ａが端子収容室２０におけるメス端子３０の挿入方向前方側の内壁面２０ａよりもハウジング１１の先端側へ延在されている。したがって、作業者は、ランス２２の操作片２５を容易に視認することができ、操作片２５へ抜き治具６０の係合部６２の押圧面６３を容易にあてがうことができる。
【００３０】
係合部６２の押圧面６３をランス２２の操作片２５におけるテーパ面２６に当接させたら、図８（ｂ）に示すように、ハウジング１１に対して抜き治具６０を押し下げる。すると、ランス２２の操作片２５がメス端子３０から離れる方向へ変位されることで、ランス２２が後端の連設端２２ａを支点として弾性変形して揺動する。これにより、メス端子３０の角孔４８からランス２２の突起部２３が抜き出され、ランス２２の係止部２４による被係止部４９の係止が解除される。
【００３１】
この状態で、メス端子３０に接続されている電線３１を把持してハウジング１１の後端側へ引き抜く。すると、ハウジング１１の端子収容室２０に収容されていたメス端子３０が端子収容室２０から引き抜かれる。
【００３２】
このように、本実施形態に係るコネクタ１０によれば、端子収容室２０に収容されたメス端子３０を係止してハウジング１１の後端側への移動を規制するランス２２に、ハウジング１１の先端側へ向かって延びる操作片２５が形成されている。そして、この操作片２５が端子収容室２０におけるメス端子３０の挿入方向前方側の内壁面２０ａよりもハウジング１１の先端側へ延在されている。したがって、ハウジング１１からメス端子３０を取り外す際に、作業者は、ハウジング１１の先端側からランス２２の操作片２５を容易に視認し、操作片２５をメス端子３０から離れる方向へ変位させてランス２２によるメス端子３０の係止状態を解除させることができる。これにより、抜き治具６０によって操作片２５を変位させてランス２２によるメス端子３０の係止状態を解除させる際に、抜き治具６０の係合部６２を開口部２１から端子収容室２０へ誤って挿し込んでメス端子３０を損傷させたり、ランス２２の操作片２５以外の部分に抜き治具６０の係合部６２を接触させて損傷させるような不具合をなくすことができる。つまり、メス端子３０やランス２２を損傷させることなく、ハウジング１１からメス端子３０を容易に取り外すことができる。
【００３３】
また、ハウジング１１の先端部には、収容空間Ｓにおける操作片２５の端子収容室２０側に操作凹部２７が設けられている。したがって、ハウジング１１の先端部に設けられた操作凹部２７に抜き治具６０の係合部６２を挿し込んで操作片２５をメス端子３０から離れる方向へ押圧してメス端子３０に対するランス２２の係止状態を容易に解除させることができる。
【００３４】
さらに、操作片２５は、その先端部における端子収容室２０側に、先端へ向かって次第に端子収容室２０から離れる方向へ傾斜するテーパ面２６を有している。これにより、操作片２５のテーパ面２６に抜き治具６０の係合部６２をあてがい、操作片２５を端子収容室２０から離れる方向へ容易に押圧してメス端子３０に対するランス２２の係止状態を解除させることができる。
【００３５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３６】
上記実施形態では、ランス２２の操作片２５の先端部２５ａをハウジング１１の先端面１１ａと略面一に配置させたが、操作片２５の先端部２５ａの位置は、端子収容室２０におけるメス端子３０の挿入方向前方側の内壁面２０ａよりもハウジング１１の先端側へ延在されていれば、ハウジング１１の先端面１１ａと略面一に配置されていなくてもよい。
【００３７】
例えば、図９に示すように、ランス２２の操作片２５の先端部２５ａは、ハウジング１１の先端面１１ａから突出されていてもよい。このように、ハウジング１１の先端面１１ａから操作片２５の先端部２５ａを突出させることで、操作片２５をさらに容易に視認することができ、操作片２５に対して抜き治具６０の係合部６２をより容易に当接させることができる。また、ハウジング１１の先端面１１ａから突出する操作片２５の先端部２５ａを指で動かしてランス２２によるメス端子３０の係止状態を解除させることも可能となる。なお、この場合、接合される相手側コネクタのハウジングの先端面には、突出する操作片２５との干渉を避けるための逃げ凹部等を形成するのが好ましい。
【００３８】
また、上記実施形態では、オス端子のタブが挿し込まれるメス端子３０をハウジング１１の端子収容室２０に収容したコネクタ１０を例示したが、本発明は、タブを有するオス端子をハウジングの端子収容室に収容したコネクタにも適用可能である。
【００３９】
ここで、上述した本発明に係るコネクタの実施形態の特徴をそれぞれ以下［１］〜［３］に簡潔に纏めて列記する。
［１］  端子収容室（２０）を有するハウジング（１１）と、
前記ハウジング（１１）の後端側から前記端子収容室（２０）に挿入されて収容される接続端子（メス端子３０）と、
前記ハウジング（１１）に設けられ、前記端子収容室（２０）へ収容された前記接続端子（メス端子３０）を係止して前記ハウジング（１１）の後端側への移動を規制するランス（２２）と、
を備えたコネクタ（１０）であって、
前記ランス（２２）は、前記ハウジング（１１）に形成されて前記ハウジング（１１）の先端面（１１ａ）で開口する収容空間（Ｓ）に収容され、
前記ランス（２２）には、前記ハウジング（１１）の先端側へ向かって延びる操作片（２５）が形成され、
前記操作片（２５）は、前記端子収容室（２０）における前記接続端子（メス端子３０）の挿入方向前方側の内壁面（２０ａ）よりも前記ハウジング（１１）の先端側へ延在されている
ことを特徴とするコネクタ。
［２］  前記ハウジング（１１）の先端部には、前記収容空間（Ｓ）における前記操作片（２５）の前記端子収容室（２０）側に操作凹部（２７）が設けられている
ことを特徴とする［１］に記載のコネクタ。
［３］  前記操作片（２５）は、その先端部における前記端子収容室（２０）側に、先端へ向かって次第に前記端子収容室（２０）から離れる方向へ傾斜するテーパ面（２６）を有する
ことを特徴とする［１］または［２］に記載のコネクタ。
【符号の説明】
【００４０】
１０：コネクタ
１１：ハウジング
１１ａ：先端面
２０：端子収容室
２０ａ：内壁面
２２：ランス
２５：操作片
２６：テーパ面
２７：操作凹部
３０：メス端子（接続端子）
Ｓ：収容空間
【図１】
2020035542.tif 000003
【図２】
2020035542.tif 000004
【図３】
2020035542.tif 000005
【図４】
2020035542.tif 000006
【図５】
2020035542.tif 000007
【図６】
2020035542.tif 000008
【図７】
2020035542.tif 000009
【図８】
2020035542.tif 000010
【図９】
2020035542.tif 000011
【図１０】
2020035542.tif 000012